【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】 分析物の存在を検出するための装置であって：ａ） 前記分析物の流入のための流体入口部分を持つサンプルチャンバー；
ｂ） サンプルチャンバーを含むフローコミュニケーション内の流体コンセントレーターであって、前記分析物を吸収でき、濃縮分析物を脱着できる、吸収剤物質を含む前記流体コンセントレーター；およびｃ） 前記濃縮分析物を含む流体コミュニケーション内のセンサー列：を含む、前記装置。
【請求項２】 さらに、それぞれのセンサーと機能的に関連する検出器を含み、前記分析物の存在下で応答する、請求項１記載の装置。
【請求項３】 前記流体コンセントレーターが前記サンプルチャンバー内に配置される、請求項１記載の装置。
【請求項４】 前記センサー列が前記サンプルチャンバー内に配置される、請求項１記載の装置。
【請求項５】 前記流体コンセントレーターおよび前記センサー列が前記サンプルチャンバー内に配置される、請求項１記載の装置。
【請求項６】 さらに、前記分析物流体を前記入口部分から前記流体コンセントレーターおよび前記センサー列に流す手段を含む、請求項５記載の装置。
【請求項７】 前記サンプルチャンバーが制御された内部大気を含む、請求項１記載の装置。
【請求項８】 前記吸収剤物質がナノ多孔性物質、ミクロ多孔性物質、非多孔性物質およびその組み合わせからなる群より選択されるメンバーである、請求項１記載の装置。
【請求項９】 前記吸収剤物質が活性炭、シリカゲル、活性化アルミナ、モレキュラーシーブ炭素、モレキュラーシーブゼオライト、シリカライト、ＡｌＰＯ4 、ポリマー、コポリマー、アルミナおよびその混合物からなる群より選択されるメンバーである、請求項８記載の装置。
【請求項１０】前記吸収剤が約１ｎｍから約１００ｎｍのポアサイズを持つ、請求項９記載の装置。
【請求項１１】前記吸収剤が約１ｎｍから約５０ｎｍのポアサイズを持つ、請求項１０記載の装置。
【請求項１２】前記濃縮分析物が、加熱、パージング、ストリッピング、加圧またはその組み合わせからなる群より選択される方法を用いて脱着される、請求項１記載の装置。
【請求項１３】さらに、前記分析物流体から非所望の物質を除去するためのさらなる吸収剤を含む、請求項１記載の装置。
【請求項１４】非所望物質がガス混入物である、請求項１３記載の装置。
【請求項１５】前記非所望物質が水分である、請求項１３記載の装置。
【請求項１６】前記電気応答が電気抵抗、インピーダンスおよび静電容量からなる群から選択された電気応答からなる、請求項１記載の装置。
【請求項１７】前記センサー列が弾性表面波センサー、石英微量天秤センサー、伝導性合成物、ケミレジスター、金属酸化物ガスセンサー、および伝導ポリマーセンサー、光ファイバー検出器上の染料含浸ポリマーフィルム、ポリマーコートミクロミラー、電気化学的ガス検出器、化学的感受性電界効果トランジスター、カーボンブラック−ポリマー合成物、ミクロ−エレクトロ−メカニカル−システム装置およびミクロ−オプト−エレクトロ−メカニカル−システム装置からなる群より選択されたセンサーを含む、請求項１記載の装置。
【請求項１８】前記分析物が、アルカン、アルケン、アルキン、ジエン、脂環式炭化水素、アレン、アルコール、エーテル、ケトン、アルデヒド、カルボニル、カルバニオン、多核芳香族、複素環、有機誘導体、生物分子、微生物、真菌、細菌、微生物、ウイルス、代謝物、糖、イソプレン、およびイソプレノイド、脂肪酸およびそれらの誘導体、からなる群より選択されるメンバーである、請求項１記載の装置。
【請求項１９】前記分析物が微生物マーカーガスである、請求項１８記載の装置。
【請求項２０】前記装置を、環境毒物学、矯正、生物薬剤、材料品質管理、食品モニター、農業モニター、重工業製造業、環境空気モニター、労働者保護、発光制御、製品品質試験、油脂／ガス石油化学への適用、燃焼ガスの検出、Ｈ2Ｓモニター、危険な漏れの検出、緊急応答および法律施行への適用、爆薬の検出、用途およびパワーへの適用、食物／飲物／農業への適用、鮮度の検出、果物成熟制御、発酵プロセスのモニターおよび制御、香味組成および同定、製品の品質および同定、冷却および燻蒸剤の検出、化粧品／香水への適用、香りの調合、化学／プラスチック／医薬への適用、僅かな放出の同定、溶媒回収効率、病院／医療への適用、麻酔および殺菌ガスの検出、感染病の検出、息の分析および体液分析、からなる群より選択される適用に用いる、請求項１記載の装置。
【請求項２１】さらに、高情報処理アッセイスクリーニング用のロボット電機子を含む、請求項１記載の装置。
【請求項２２】前記センサー列が約１０−約１００センサーを含む、請求項１記載の装置。
【請求項２３】前記センサー列が約１００−約１０００センサーを含む、請求項１記載の装置。
【請求項２４】前記センサー列が約１０００−約１０6 センサーを含む、請求項１記載の装置。
【請求項２５】少なくとも２つのセンサーが構成的に異なる、請求項１記載の装置。
【請求項２６】さらに、コンピューター、応答プロフィールおよびアルゴリ住むを含む、請求項１記載の装置。
【請求項２７】前記アルゴリズムが、パターン認識アルゴリズムである、請求項２６記載の装置。
【請求項２８】さらに、ソフトウェアまたはハードウェア分析のためのネットワーク網を含む、請求項２６記載の装置。
【請求項２９】前記装置が手で持てる装置である、請求項１記載の装置。
【請求項３０】分析物を検出するための方法であって、前記方法が： ａ） サンプルチャンバー内に分析物を含む流体を注入し；
ｂ） 前記分析物を流体コンセントレーターで濃縮して、濃縮された分析物を作り出し；
ｃ） 前記流体コンセントレーターから前記濃縮分析物を脱着し；そして、ｄ） センサー列と接触させ、そうすることによって前記分析物を検出する：ことを含む、前記の検出方法。
【請求項３１】前記吸収剤物質が、ナノ多孔性物質、ミクロ多孔性物質、非多孔性物質およびその組み合わせからなる群より選択されるメンバーである、請求項３０記載の方法。
【請求項３２】前記吸収剤物質が、活性炭、シリカゲル、活性アルミナ、モレキュラーシーブ炭素、モレキュラーシーブゼオライト、シリカライト、ＡｌＰＯ4 、ポリマー、コポリマー、アルミナおよびその混合物からなる群より選択されるメンバーである、請求項３０記載の方法。
【請求項３３】前記濃縮分析物を、加熱、パージング、ストリッピング、加圧またはその組み合わせからなる群より選択された方法を用いて脱着する、請求項３０記載の方法。
【請求項３４】さらに、前記濃縮分析物をさらなる吸収剤と接触させて、前記分析流体から非所望の物質を除去することを含む、請求項３０記載の方法。
【請求項３５】前記分析物が、アルカン、アルケン、アルキン、ジエン、脂環式炭化水素、アレン、アルコール、エーテル、ケトン、アルデヒド、カルボニル、カルバニオン、多核芳香族、複素環、有機誘導体、生物分子、微生物、真菌、細菌、微生物、ウイルス、代謝物、糖、イソプレン、およびイソプレノイド、脂肪酸ならびにそれらの誘導体、からなる群より選択されるメンバーである、請求項３０記載の方法。
【請求項３６】前記方法を、環境毒物学、矯正、生物薬剤、材料品質管理、食品モニター、農業モニター、重工業製造業、環境空気モニター、労働者保護、発光制御、製品品質試験、油脂／ガス石油化学への適用、燃焼ガスの検出、Ｈ2Ｓモニター、危険な漏れの検出、緊急応答および法律施行への適用、爆薬の検出、用途およびパワーへの適用、食物／飲物／農業への適用、鮮度の検出、果物成熟制御、発酵プロセスモニターおよび制御、香味組成および同定、製品品質および同定、冷却および燻蒸剤の検出、化粧品／香水への適用、香りの調合、化学／プラスチック／医薬への適用、僅かな放出の同定、溶媒回収効率、病院／医療への適用、麻酔および殺菌ガスの検出、感染病の検出、息の分析および体液分析、からなる群より選択される方法に用いる、請求項３０記載の方法。
【請求項３７】麻酔薬の濃度を定量するための麻酔気化システムであって：キャリヤーガス蒸気を、入口部分に配達するための第一キャリヤーガス蒸気と結合バルブに配達するための第二キャリヤーガス蒸気に分けるバイパスバルブに配達する、キャリヤーガス源：入口部分、出口部分、気化手段および気化麻酔薬を前記出口部分から前記接続バルブに配達するための導管を含む、麻酔薬のための気化チャンバー；そして、前記麻酔薬を定量するための、前記接続バルブを含むフローコミュニケーション内のセンサー列：を含む、前記のシステム。
【請求項３８】前記センサー列が、弾性表面波センサー、石英微量天秤センサー、伝導性合成物、ケミレジスター、金属酸化物ガスセンサー、および伝導ポリマーセンサー、光ファイバー検出器上の染料含浸ポリマーフィルム、ポリマーコートミクロミラー、電気化学的ガス検出器、化学的感受性電界効果トランジスター、カーボンブラック−ポリマー合成物、ミクロ−エレクトロ−メカニカル−システム装置およびミクロ−オプト−エレクトロ−メカニカル−システム装置からなる群より選択されるメンバーを含む、請求項３７記載のシステム。
【請求項３９】麻酔蒸気を定量する方法であって： キャリヤーガス蒸気を、入口に配達するための第一キャリヤーガス蒸気と接続バルブに配達するための第二キャリヤーガス蒸気に分けるバイパスバルブに配達し；
入口部分、出口部分、気化手段および気化麻酔薬を前記出口部分から前記接続バルブに配達するための導管を含む、気化チャンバー内の麻酔薬を気化させ；そして、前記結合バルブとフローコミュニケーション内のセンサー列を接触させて、前記麻酔蒸気を定量する：ことを含む、前記の麻酔蒸気定量法。
【請求項４０】前記センサー列が、弾性表面波センサー、石英微量天秤センサー、伝導性合成物、ケミレジスター、金属酸化物ガスセンサー、および伝導ポリマーセンサー、光ファイバー検出器上の染料含浸ポリマーフィルム、ポリマーコートミクロミラー、電気化学的ガス検出器、化学的感受性電界効果トランジスター、カーボンブラック−ポリマー合成物、ミクロ−エレクトロ−メカニカル−システム装置およびミクロ−オプト−エレクトロ−メカニカル−システム装置からなる群より選択されるメンバーを含む、請求項３９記載の方法。